(57)【要約】  【課題】  天気予報を受信して、降雨が予想されている場合は、外出時に傘を携帯する旨を報知することにより、住居人が外出する際に確実に傘を携帯させることができるインターホンシステムを提供すること。  【解決手段】  インターホン装置間で通話がなされるインターホンシステムにおいて、天気予報を受信する天気予報受信部と、該天気予報受信部が受信した天気予報に基づいて、外出時に傘を携帯する旨のメッセージを音声出力させる音声出力部を備えた。  【選択図】  図１
2006287332.tif 000002
【特許請求の範囲】
【請求項１】
インターホン装置間で通話がなされるインターホンシステムにおいて、
天気予報を受信する天気予報受信部と、該天気予報受信部が受信した天気予報に基づいて、外出時に傘を携帯する旨のメッセージを音声出力させる音声出力部を備えたことを特徴とするインターホンシステム。
【請求項２】
前記インターホン装置として住戸内に配置された親機に、前記音声出力部と、人体検知センサと、内部音響部とを設け、前記親機は、前記人体検知センサが人体を検知したときに、前記内部音響部から前記外出時に傘を携帯する旨のメッセージを音声出力させることを特徴とする請求項１記載のインターホンシステム。
【請求項３】
前記インターホン装置として住戸内に配置された親機と住戸玄関の住戸ドア近傍の戸外に配置された子機とを備え、前記親機は、前記音声出力部が設けられると共に、住戸玄関の住戸ドアから外出する住居人の操作によって生じる外出検知信号が送出されたことを検出したときに、前記子機に設けられたスピーカから前記外出時に傘を携帯する旨のメッセージを音声出力させることを特徴とする請求項１記載のインターホンシステム。
【請求項４】
前記子機は、傘に取り付けられたＩＣタグを検知するＩＣタグ検知部を備え、前記親機は、住戸玄関の住戸ドアから外出する住居人の操作によって生じる外出検知信号が送出されたことを検出したときに、前記ＩＣタグ検知部からＩＣタグ検知信号が送出されない場合は、前記子機に設けられたスピーカから前記外出時に傘を携帯する旨のメッセージを音声出力させることを特徴とする請求項３記載のインターホンシステム。
【発明の詳細な説明】
【技術分野】
【０００１】
本発明は、インターホンシステムに関する。
【背景技術】
【０００２】
インターホン装置間で通話がなされるインターホンシステムにおいて、気象データを検知する温度センサ、湿度センサ、降雨センサによって、設置場所近傍の気象データを検知し、気象情報確認ボタンの操作によって、現状の気象情報のモニタ出画、及び音声出力を行うものが知られている。（例えば、特許文献１参照）。
【特許文献１】特開２０００−１７４９１３号公報
【発明の開示】
【発明が解決しようとする課題】
【０００３】
住居人は、気象情報確認ボタンを操作しないと、現状の気象情報の確認が行えないため、操作し忘れた場合は、現状の気象情報を確認せずに外出することになる。そのため、外出する際に住戸玄関を出て初めて、例えば、雨が降っていることを知ることになり、再度、傘を取りに住戸内に戻る必要があった。また、現状の気象情報は確認できるが、天気予報の気象情報予想を確認することができない。そのため、天気予報で雨が降ると予想されている場合でも、現状で雨が降っていないと、傘を携帯せずに外出してしまう恐れがあった。
【０００４】
本発明は、上記課題を解決するためになされたもので、天気予報を受信して、降雨が予想されている場合は、住居人が外出する際に確実に傘を携帯させることができるインターホンシステムを提供することを目的とする。
【課題を解決するための手段】
【０００５】
本発明は、インターホン装置間で通話がなされるインターホンシステムにおいて、天気予報を受信する天気予報受信部と、該天気予報受信部が受信した天気予報に基づいて、外出時に傘を携帯する旨のメッセージを音声出力させる音声出力部を備えたことを特徴とする。
【０００６】
また、前記インターホン装置として住戸内に配置された親機に、前記音声出力部と、人体検知センサと、内部音響部とを設け、前記親機は、前記人体検知センサが人体を検知したときに、前記内部音響部から前記外出時に傘を携帯する旨のメッセージを音声出力させることを特徴とする。
【０００７】
また、前記インターホン装置として住戸内に配置された親機と住戸玄関の住戸ドア近傍の戸外に配置された子機とを備え、前記親機は、前記音声出力部が設けられると共に、住戸玄関の住戸ドアから外出する住居人の操作によって生じる外出検知信号が送出されたことを検出したときに、前記子機に設けられたスピーカから前記外出時に傘を携帯する旨のメッセージを音声出力させることを特徴とする。
【０００８】
また、前記子機は、傘に取り付けられたＩＣタグを検知するＩＣタグ検知部を備え、前記親機は、住戸玄関の住戸ドアから外出する住居人の操作によって生じる外出検知信号が送出されたことを検出したときに、前記ＩＣタグ検知部からＩＣタグ検知信号が送出されない場合は、前記子機に設けられたスピーカから前記外出時に傘を携帯する旨のメッセージを音声出力させることを特徴とする。
【発明の効果】
【０００９】
本発明は、インターホン装置間で通話がなされるインターホンシステムにおいて、天気予報を受信する天気予報受信部と、該天気予報受信部が受信した天気予報に基づいて、外出時に傘を携帯する旨のメッセージを音声出力させる音声出力部を備えたので、天気予報を受信し、降雨が予想されている場合は、外出時に傘を携帯する旨のメッセージを音声報知して、住居人が外出する際に確実に傘を携帯させることができる。
【００１０】
また本発明は、前記インターホン装置として住戸内に配置された親機に、前記音声出力部と、人体検知センサと、内部音響部とを設け、前記親機は、前記人体検知センサが人体を検知したときに、前記内部音響部から前記外出時に傘を携帯する旨のメッセージを音声出力させるので、降雨が予想されている場合は、住居人に対して、外出時に傘を携帯する旨のメッセージを確実に音声報知できる。
【００１１】
また本発明は、前記インターホン装置として住戸内に配置された親機と住戸玄関の住戸ドア近傍の戸外に配置された子機とを備え、前記親機は、前記音声出力部が設けられると共に、住戸玄関の住戸ドアから外出する住居人の操作によって生じる外出検知信号が送出されたことを検出したときに、前記子機に設けられたスピーカから前記外出時に傘を携帯する旨のメッセージを音声出力させるので、降雨が予想されている場合は、外出しようとしている住居人に対して、傘を携帯する旨のメッセージを確実に音声報知できる。
【００１２】
また本発明は、前記子機は、傘に取り付けられたＩＣタグを検知するＩＣタグ検知部を備え、前記親機は、住戸玄関の住戸ドアから外出する住居人の操作によって生じる外出検知信号が送出されたことを検出したときに、前記ＩＣタグ検知部からＩＣタグ検知信号が送出されない場合は、前記子機に設けられたスピーカから前記外出時に傘を携帯する旨のメッセージを音声出力させるので、降雨が予想されている場合に、外出しようとしている住居人が傘を携帯していないことを検知して、傘を携帯する旨のメッセージを確実に音声報知できる。
【発明を実施するための最良の形態】
【００１３】
図１は、本発明の一実施例である防犯機能付きインターホンシステムの構成を示すブロック図である。
【００１４】
図１において、１０はインターホン装置としての住戸内に配置された親機、５０はインターホン装置としての住戸玄関の住戸ドア近傍の戸外に配置された子機であり、親機１０と子機５０とは音声線Ｌ１、制御線Ｌ２を介して接続されている。
【００１５】
子機５０において、５１は来訪者によって操作される呼出ボタン、５２は音声線Ｌ１に接続されると共に、呼出ボタン５１の操作によって呼出信号を音声線Ｌ１上に送出する呼出回路、５３は音声線Ｌ１に接続されると共にマイクとスピーカ（図示せず）を有する通話回路である。
【００１６】
５４は制御線Ｌ２に接続されると共に、傘に取り付けられたＩＣタグ（図示せず）を検知するＩＣタグ検知部であり、傘に取り付けられたＩＣタグを検知したときに、ＩＣタグ検知信号を制御線Ｌ２上に送出する。ＩＣタグ検知部５４とＩＣタグは、詳細には説明しないが、電磁誘導による無線通信を行う非接触式のデータキャリアシステムであり、ＩＣタグ検知部５４は、傘に取り付けられたＩＣタグの識別情報を記憶する記憶部を有し、ＩＣタグと通信を行った際に、記憶部に記憶された識別情報に対応するＩＣタグの存在／不存在を判定して、傘に取り付けられたＩＣタグの存在／不存在を検知する。
【００１７】
つぎに、親機１０において、１１は切替回路、１２はマイクとスピーカ（図示せず）を有する通話回路、１３は子機５０からの呼出信号を検出する呼出検出回路であり、切替回路１１は、一端が音声線Ｌ１に接続され、他端が通話回路１２又は呼出検出回路１３に選択的に切換接続される接点を有し、接点の他端は、常時は呼出検出回路１３に接続されている。１４は人体を検知する人体検知センサ、１５は住居人の携帯電話や管理会社などに移報する移報部、１６は親機１０全体を制御する制御部であり、呼出検出回路１３が呼出信号を検出したときに、その呼出入力が行われる。
【００１８】
１７は内部音響部、１８は天気予報の音声メッセージ、及び外出時に傘を携帯する旨の音声メッセージ等を記憶する音声出力部であり、音声出力部１８は第１ノーマルオープンスイッチ（図示せず）を介して内部音響部１７に接続されると共に、切替スイッチ１１と呼出検出回路１３との間に、第２ノーマルオープンスイッチ（図示せず）を介して接続されている。
【００１９】
１９は天気予報を受信する天気予報受信部である。天気予報受信部１９は、例えば、天気予報サービスを提供している特定のホームページから防犯機能付きインターホンシステム設置場所近傍の天気予報を受信可能にインターネット回線に接続されているが、その他の天気予報提供サービスから天気予報を受信可能となっていてもよい。
【００２０】
親機１０には、住戸内の窓等に設けられた防犯センサ１が信号線Ｌ３を介して接続される。防犯センサ１は窓等の開閉状態の変化を検出して、作動信号を信号線Ｌ３上に送出する。なお、防犯センサ１は複数であってもよい。
【００２１】
また、親機１０には、住戸玄関の住戸ドアに設けられた外鍵施錠センサ７０が信号線Ｌ４を介して接続されている。外鍵施錠センサ７０は住戸玄関の住戸ドアが外鍵で施錠されているか否かを検出するものである。住居人が外出する際には、住戸玄関の住戸ドアを外鍵で施錠することから、外鍵施錠センサ７０は外鍵で施錠されているか否かを検知して、外出／在室検知信号を信号線Ｌ４上に送出する。なお、この防犯機能付きインターホンシステムにおいては、住戸玄関の住戸ドアの外鍵施錠に連動して、防犯機能モードをセットするように構成されており（詳細は後述する）、外出／在室検知信号は防犯モードセット／リセット信号を兼用している。
【００２２】
このような防犯機能付きインターホンでは、親機１０において、天気予報受信部１９は、定期的に防犯機能付きインターホンシステム設置場所近傍の天気予報を受信して、その天気予報情報を制御部１６に送出し、制御部１６は、受信した天気予報情報を更新し図示しないメモリに記憶している。そして、人体検知センサ１４が住居人を検知すると、制御部１６に人体検知信号が送出され、制御部１６は、第１ノーマルオープンスイッチ（図示せず）を閉じると共に、天気予報情報に対応した天気予報音声出力命令を音声出力部１８に送出する。また、天気予報情報として降雨が予想されている場合は、外出時に傘を携帯する旨のメッセージ音声出力命令も送出する。音声出力部１８は、その音声出力命令に応じた音声データを内部音響部１７に送出し、これによって、内部音響部１７から天気予報及び外出時に傘を携帯する旨のメッセージ音声が出力される。例えば、「今日の天気予報は、曇りのち雨です。外出する際には、傘を携帯して下さい。」とのメッセージ音声が出力されるので、住居人が外出する際に確実に傘を携帯させることができる。
【００２３】
つぎに、住居人が外出する際に住戸玄関の住戸ドアを外鍵で施錠すると、外鍵施錠センサ７０は外鍵で施錠されたことを検知して、外出検知信号を親機１０に送出する。また、ＩＣタグ検知部５４は、傘に取り付けられたＩＣタグ（図示せず）を検知すると、ＩＣタグ検知信号を親機１０に送出する。
【００２４】
親機１０においては、制御部１６は、外出検知信号を検出すると、まず、メモリを参照して、天気予報情報として降雨が予想されているか否かを判別する。降雨が予想されている場合は、つぎに、ＩＣタグ検知信号を検出しているか否かを判定し、検出していない場合は、第２ノーマルオープンスイッチ（図示せず）を閉じると共に、天気予報情報に対応した天気予報及び外出時に傘を携帯する旨のメッセージ音声出力命令を音声出力部１８に送出する。音声出力部１８は、その音声出力命令に応じた音声データを音声線Ｌ１上に送出する。そして、子機５０においては、通話回路５３のスピーカ（図示せず）から天気予報及び外出時に傘を携帯する旨のメッセージ音声が出力される。例えば、「今日の天気予報は、曇りのち雨です。外出する際には、傘を携帯して下さい。」とのメッセージ音声が出力される。住居人が親機１０のある居室に赴くことなく、自分の部屋から直接外出する場合は、天気予報情報として降雨が予想されている場合でも、外出時に傘を携帯する旨のメッセージ音声を聞けない恐れがあったが、住戸玄関で報知することによって、外出しようとしている住居人に確実に傘を携帯させることができる。
【００２５】
なお、親機１０においては、外出検知信号を検出すると、制御部１６は、親機１０の防犯機能をセットする。そして、防犯センサ１が作動したとき、また、人体検知センサ１４が人体を検知したときは、侵入者を検知したと判断し、制御部１６は、移報部１５を制御して、住居人の携帯電話や管理会社などにその旨を移報する。また、住居人が帰宅して住戸玄関の住戸ドアを外鍵解錠すると、外鍵施錠センサ７０によって在室検知信号が親機１０に送出されて、親機１０の防犯機能のセットが解除される。
【００２６】
また、子機５０において、来訪者が呼出ボタン５１をオン操作すると、その操作を呼出回路５２が検出し、呼出信号を音声線Ｌ１上に出力する。親機１０は、その呼出信号を呼出検出回路１３が検出し、制御部１６に呼出入力を行う。その呼出入力によって制御部１６は、内部音響１７から呼出音を鳴動させる。住居人によって通話ボタン（図示せず）がオン操作されれば、制御部１６は、切替回路１１における接点の他端を通話回路１２側に切換接続するので、音声線Ｌ１を介して、親機１０の通話回路１２と子機５０の通話回路５３とによる通話が可能となる。また、通話終了に伴い通話ボタン（図示せず）がオフ操作された場合は、親機１０は、制御部１６によって、切替回路１１の接点他端を呼出検出回路１３に接続して、通話が終了する。
【００２７】
上記実施例において、外鍵施錠センサ７０によって、住戸玄関の住戸ドアから外出する住居人の操作によって生じる外出信号が送出されるものとしたが、例えば、住戸玄関の住戸ドア近傍に設けられた防犯機能セット専用の鍵であってもよい。
【００２８】
上記実施例において、本発明は、インターホン装置としての親機１０と子機５０を備えたインターホンシステムを用いて説明したが、集合玄関機、管理人室機等のインターホン装置をさらに備えた集合玄関向けインターホンシステムに適用してもよい。そして、集合玄関機又は管理人室機のインターホン装置近傍に各住戸の防犯機能セットを行う鍵や電子カードなどの防犯セット手段がある場合は、防犯セットされたときに、防犯セット手段近傍のインターホン装置から、外出時に傘を携帯する旨のメッセージを音声出力させるように構成してもよい。
【図面の簡単な説明】
【００２９】
【図１】防犯機能付インターホンシステムの構成を示すブロック図である。
【符号の説明】
【００３０】
１  防犯センサ、１０  親機、１１  切替回路、１２  通話回路、１３  呼出検出回路、１４  人体検知センサ、１５  移報部、１６  制御部、１７  内部音響部、１８  音声出力部、１９  天気予報受信部、５０  子機、５１  呼出ボタン、５２  呼出回路、５３  通話回路、５４  ＩＣタグ検知部、７０  外鍵施錠センサ、Ｌ１  音声線、Ｌ２  映像線、Ｌ３  信号線、Ｌ４  信号線。
【図１】
2006287332.tif 000003